(57)【要約】【課題】複数個の粒状物をよりまとまった状態で下方部材の繰出口から繰出すことができる粒状物の繰出装置を提供することを課題とする。【解決手段】目皿６０が回転して目皿６０の目皿孔６１が下方部材５５の繰出口５５ａの上方に位置したときに、目皿６０の目皿孔６１に溜められる複数個の粒状物を下方部材５５の繰出口５５ａから繰出すように構成される、粒状物の繰出装置５０であって、下方部材５５は、繰出口５５ａにおける目皿６０の回転方向の上流側において下方部材５５の上面が窪むように形成される凹部５５ａを備え、目皿６０の目皿孔６１に溜められる複数個の粒状物を下方部材５５の繰出口５５ａから繰出す前に、目皿６０の目皿孔６１に溜められ数個の粒状物のうち少なくとも一部のものを下方部材５５の凹部５５ｃに入り込ませるように構成される。【選択図】図３
2014135922.tif 000002
【特許請求の範囲】
【請求項１】
目皿孔を備える目皿と、繰出口を備え前記目皿の下方に配置される下方部材と、を具備し、前記目皿が回転して前記目皿の目皿孔が前記下方部材の繰出口の上方に位置したときに、前記目皿の目皿孔に溜められる複数個の粒状物を前記下方部材の繰出口から繰出すように構成される、複数個の繰出装置であって、
前記下方部材は、前記繰出口における前記目皿の回転方向の上流側において前記下方部材の上面が窪むように形成される凹部を備え、
前記目皿の目皿孔に溜められる前記複数個の粒状物を前記下方部材の繰出口から繰出す前に、前記目皿の目皿孔に溜められる前記複数個の粒状物のうち少なくとも一部のものを前記下方部材の凹部に入り込ませるように構成される、
粒状物の繰出装置。
【請求項２】
前記下方部材は、前記繰出口と前記凹部とが連続するように構成される、
請求項１に記載の粒状物の繰出装置。
【請求項３】
前記下方部材の凹部は、その深さ方向の長さが前記粒状物の幅よりも短く構成される、
請求項１または請求項２に記載の粒状物の繰出装置。
【発明の詳細な説明】
【技術分野】
【０００１】
本発明は、粒状物の繰出装置の技術に関する。
【背景技術】
【０００２】
従来、複数個の粒状物を所定量毎に繰出す粒状物の繰出装置に関する技術は種々知られている。
前記粒状物の繰出装置には、粒状物である種子を播く播種装置に備えられて、複数個の種子（粒状物）を所定量毎に繰出すものが公知となっている（特許文献１参照）。
【０００３】
また、前記粒状物の繰出装置には、ホッパから落下する複数個の種子（粒状物）が目皿の目皿孔に供給されて目皿孔内に溜められていき、目皿が回転して下方部材の繰出口の上方に目皿の目皿孔が位置して目皿の目皿孔と下方部材の繰出口とが連通したときに、目皿の目皿孔に溜まった複数個の種子（粒状物）を下方部材の繰出口から繰出すように構成されるものがある。
前記粒状物の繰出装置は、移動しながら目皿の目皿孔に収納される複数個の種子（粒状物）を下方部材の繰出口から繰出すことによって、複数個の種子（粒状物）を所定の間隔毎に圃場に播く（散布する）ように用いられる。
【先行技術文献】
【特許文献】
【０００４】
【特許文献１】特開２００１−２５１９０９号公報
【発明の概要】
【発明が解決しようとする課題】
【０００５】
しかしながら、前記粒状物の繰出装置では、所定の間隔毎に複数個の種子（粒状物）を播くため（点播性能の向上させるため）には、よりまとまった状態で複数個の種子を繰出すことが望まれる。
もっとも、前記粒状物の繰出装置では、複数個の種子が目皿の目皿孔内に詰まった状態にあることから、目皿の目皿孔と下方部材の繰出口とが連通したときにおいても、下方部材の繰出口から複数個の種子が次第に繰出されるようにして、まとまった状態で複数個の種子を繰出すことができない（比較的条状に播かれる）場合があった。
【０００６】
本発明は以上の如き状況に鑑みてなされたものであり、複数個の粒状物をよりまとまった状態で下方部材の繰出口から繰出すことができる粒状物の繰出装置を提供することを課題とする。
【課題を解決するための手段】
【０００７】
本発明の解決しようとする課題は以上の如くであり、次にこの課題を解決するための手段を説明する。
【０００８】
即ち、請求項１においては、目皿孔を備える目皿と、繰出口を備え前記目皿の下方に配置される下方部材と、を具備し、前記目皿が回転して前記目皿の目皿孔が前記下方部材の繰出口の上方に位置したときに、前記目皿の目皿孔に溜められる複数個の粒状物を前記下方部材の繰出口から繰出すように構成される、粒状物の繰出装置であって、前記下方部材は、前記繰出口における前記目皿の回転方向の上流側において前記下方部材の上面が窪むように形成される凹部を備え、前記目皿の目皿孔に溜められる前記複数個の粒状物を前記下方部材の繰出口から繰出す前に、前記目皿の目皿孔に溜められる前記複数個の粒状物のうち少なくとも一部のものを前記下方部材の凹部に入り込ませるように構成されるものである。
【０００９】
請求項２においては、前記下方部材は、前記繰出口と前記凹部とが連続するように構成されるものである。
【００１０】
請求項３においては、前記下方部材の凹部は、その深さ方向の長さが前記粒状物の幅よりも短く構成されるものである。
【発明の効果】
【００１１】
本発明の効果として、以下に示すような効果を奏する。
即ち、本発明によれば、複数個の粒状物をまとまった状態で下方部材の繰出口から繰出すことができる。
【図面の簡単な説明】
【００１２】
【図１】本発明の実施形態に係る繰出装置を備える湛水直播機が装着された走行機体の全体的な構成を示した側面図。
【図２】同じく繰出装置を備える湛水直播機を示した背面図。
【図３】同じく繰出装置を示した側面断面図。
【図４】同じく繰出装置の内部構造を示した分解正面斜視図。
【図５】同じく繰出装置の内部構造を示した分解背面斜視図。
【図６】（Ａ）同じく繰出装置の下方部材を示した平面図、（Ｂ）同じく繰出装置の下方部材を示した底面図。
【図７】（Ａ）同じく繰出装置の下方部材を示した側面図、（Ｂ）同じく繰出装置の下方部材の繰出口と凹部とを示したＡＡ断面図。
【図８】同じく繰出装置の仕切板とブラシと落下補助手段とを示した正面斜視図。
【図９】同じく繰出装置の仕切板とブラシと落下補助手段とを示した背面斜視図。
【図１０】同じく繰出装置の内部構造を粒状物の供給経路の上流側から見た図。
【図１１】同じく繰出装置の内部構造を示した模式断面図。
【図１２】同じく繰出装置を示した側面断面図。
【発明を実施するための形態】
【００１３】
次に、本発明の実施形態に係る粒状物の繰出装置５０について説明する。
【００１４】
粒状物の繰出装置（以下「繰出装置」という）５０は、複数個の粒状物を所定量毎に繰出すものである。
繰出装置５０は、例えば、粒状の薬剤（粒状物）を散布する薬剤散布装置１６、または、粒状の種子（粒状物）を播く播種装置４０、等に備えられる。
以下において、繰出装置５０から繰出される粒状物は、粒状の種子であるものとし、繰出装置５０は、播種装置４０に備えられて前記粒状の種子を繰出すものとして、説明する。
【００１５】
繰出装置５０を備える播種装置４０（湛水直播機１９）が装着される走行機体１の全体的な構成について説明する。
走行機体１は、図１に示すように、走行部１０と昇降リンク機構２０とを具備する。
走行機体１は、走行部１０の後部に昇降リンク機構２０を介して湛水直播機１９が装着されて、昇降リンク機構２０によって湛水直播機１９を昇降可能に構成される。
走行機体１は、走行部１０の後部上に施肥機１７が搭載され、湛水直播機１９の後部上には薬剤散布装置１６が搭載されて構成される。
【００１６】
走行機体１の走行部１０は、エンジン２が機体の前部に設けられて構成される。走行部１０のエンジン２は、ボンネット４により被覆される。走行部１０は、ミッションケースが機体の前部に支持されるとともにエンジン２の後下方に配置されて構成される。
走行部１０は、フロントアクスルケース５が機体の前部に支持され、前車輪６がフロントアクスルケース５の左右両側に支承されて構成される。走行部１０は、リアアクスルケース７が機体の後部に支持され、後車輪８が当該リアアクスルケース７の左右両側に支承されて構成される。
【００１７】
走行機体１の走行部１０は、エンジン２の動力が前記ミッションケースを介して左右の前車輪６と左右の後車輪８とにそれぞれ伝達されて、前車輪６および後車輪８が回転駆動するように構成される。
このようにして、走行機体１（走行部１０）は、前進又は後進走行可能に構成される。
【００１８】
走行機体１の走行部１０は、機体の前後中途部に運転操作装置１１が設けられて構成される。走行部１０は、運転操作装置１１の前部に、操向操作用の環状の操向ハンドル１２、各種操作ペダル１３、および、ダッシュボード１４等が配置され、運転操作装置１１の後部に、運転席１５が操向ハンドル１２の後方に位置するように配置されて構成される。走行部１０は、ダッシュボード１４の上に、操向ハンドル１２に加えて、各種の操作具や表示装置が配置されて構成される。
【００１９】
湛水直播機１９は、水を湛えた状態の水田に粒状の水稲の種子を直接播くものであり、播種フレーム、播種フレームに取付けられるフロート１８、マーカー２１、および、播種装置４０等を備える。
湛水直播機１９のフロート１８は、センターフロートとサイドフロート等からなり、播種装置４０が泥中に沈まないように支持する。湛水直播機１９のマーカー２１は、播種フレームの左右両側に上下回動可能に支持され、枕地で回行して次の条の播種をおこなう時の目印を田面上に付けるためのものである。湛水直播機１９の播種装置４０は、左右方向に複数台並べて配置される。
【００２０】
湛水直播機１９の播種装置４０は、粒状の種子を播くものであり、図２に示すように、複数個の粒状の種子（粒状物）が収容されるホッパ４１と、ホッパ４１に収納される種子を繰出す繰出装置５０と、筒体４２と、を備える。
播種装置４０は、ホッパ４１の下端に繰出装置５０が配置され、繰出装置５０の下端に筒体４２が設けられて構成される。播種装置４０は、繰出装置５０によって繰出された種子を筒体４２の下端の開口から排出して、種子を播くように構成される。
【００２１】
播種装置４０の繰出装置５０は、複数個の種子を所定量毎に（点播するように）繰出す装置であり、左右方向に条数分複数台（例えば、８台）並べて配置される。
繰出装置５０は、図３乃至図１０に示すように、ケース５１と、目皿駆動軸５２と、スペーサ５３と、目皿６０と、下方部材５５と、シム５７と、仕切板３０と、ブラシ３３と、落下補助手段３４と、遮蔽部材３５と、位置変更機構９０と、を具備する。
【００２２】
繰出装置５０のケース５１は、主として上ケース５１ａと下ケース５１ｂとで構成され、上ケース５１ａと下ケース５１ｂとが上下に配置されて全体として略筒状に構成される。
繰出装置５０のケース５１内には、目皿駆動軸５２、スペーサ５３、目皿６０、下方部材５５、シム５７、ブラシ３３、落下補助手段３４、遮蔽部材３５、位置変更機構９０、および、姿勢支持部９９、が配置される。また、繰出装置５０のケース５１内には、各々の軸心が一致するように、目皿駆動軸５２、スペーサ５３、目皿６０、および、シム５７が配置される。
【００２３】
繰出装置５０の目皿駆動軸５２は、目皿６０を回転駆動させるものであり、その軸心が上後下前に傾斜するようにケース５１内に配置される。
繰出装置５０の目皿駆動軸５２の上部には、ベベルギアが設けられる。そして、繰出装置５０の目皿駆動軸５２は、前記ベベルギアに、上ケース５１ａの上部側方から上ケース５１ａ内に貫入された回転軸４３に設けられたベベルギアが噛合されて、回転軸４３の回転動力が目皿駆動軸５２に伝達可能に構成される。このようにして、繰出装置５０の目皿駆動軸５２は、回転軸４３が回転することにより、目皿駆動軸５２の軸心方向に対して周方向に回転するように構成される。また、繰出装置５０の目皿駆動軸５２は、目皿駆動軸５２の軸心方向上方から見て、時計回りに回転するように構成される。
播種装置４０の回転軸４３は、前記複数台の播種装置４０の繰出装置５０の上ケース５１ａ内に左右方向に嵌挿されるように横設されて（図２参照）、ミッションケースに入力されたエンジン２からの動力がＰＴＯ軸を介して、複数台の繰出装置５０・５０・・・の各々に伝達するように構成される。
【００２４】
繰出装置５０のスペーサ５３は、略環状に形成される部材であり、ケース５１内において目皿６０の上方に配置される。
繰出装置５０のスペーサ５３は、上ケース５１ａの係合突起にその係合溝５３ａが係合されることにより上ケース５１ａに固定される。このようにして、繰出装置５０のスペーサ５３は、上ケース５１ａ内で、上下方向（スペーサ５３の軸心方向）に移動しないように構成されるとともに、スペーサ５３の周方向に回転しないように位置決めされる。
【００２５】
繰出装置５０のシム５７は、ステンレス鋼素材からなる円盤状の部材であり、ケース５１（上ケース５１ａ）内に配置される。
繰出装置５０のシム５７は、シム５７の内径がスペーサ５３の内経と略同一に形成される。
繰出装置５０のシム５７は、スペーサ５３と目皿６０との間に配置される。
繰出装置５０のシム５７は、スペーサ５３の軸心とシム５７の軸心とを一致させ、シム５７の上面がスペーサ５３の下面に当接するようにして、スペーサ５３の下方に配置される。
繰出装置５０のシム５７は、目皿６０の軸心とシム５７の軸心とを一致させ、シム５７の下面が目皿６０の上面に当接するようにして、目皿６０の上方に配置される。
【００２６】
繰出装置５０の目皿６０は、略円盤状の部材であり、ケース５１内においてシム５７と下方部材５５との間に配置される。
繰出装置５０の目皿６０は、その中央部において駆動軸５２に固定されて、目皿駆動軸５２が回転すると、目皿駆動軸５２と一体となって回転するように構成される。このとき、繰出装置５０の目皿６０は、目皿６０の軸心を回転軸心として目皿６０の周方向に回転するように構成される。また、繰出装置５０の目皿６０は、目皿６０の軸心方向上方から見て、時計回りに回転するように構成される。
【００２７】
繰出装置５０の目皿６０は、目皿孔６１を有する。
繰出装置５０の目皿６０の目皿孔６１は、ホッパ４１から落下した種子が、繰出装置５０から繰出される前に一時的に溜められる部分である。
繰出装置５０の目皿６０の目皿孔６１は、目皿６０の半径方向中途部に、目皿６０の上面から下面に貫通するように形成される。繰出装置５０の目皿６０の目皿孔６１は、目皿６０の軸心とスペーサ５３の軸心とを一致させるようにしてスペーサ５３の下方に目皿６０が配置された状態で、目皿孔６１の上方の開口がスペーサ５３の内周面よりも内側（軸心側）に位置するように形成される。
繰出装置５０の目皿６０の目皿孔６１は、複数個配置される。繰出装置５０では、八個の目皿孔６１・６１・・が目皿６０の軸心を中心にして周方向に均等に配置される。繰出装置５０における目皿６０の目皿孔６１は、同心円上に等角度で設けられる。なお、繰出装置５０の目皿６０の目皿孔６１の数は限定されるものではない。
繰出装置５０の目皿６０の目皿孔６１は、その容積を増減可能に構成される。
【００２８】
繰出装置５０の下方部材５５は、略円盤状の部材であり、下方部材５５の上面が目皿６０の下面に当接するようにして目皿６０の下方に配置される。
繰出装置５０の下方部材５５は、目皿駆動軸５２および目皿６０が回転してもこれに追従して回転しないように、下ケース５１ｂ内に配置される。繰出装置５０の下方部材５５は、下方部材５５の軸心と目皿６０の軸心とが同一軸心上に配置される。
繰出装置５０の下方部材５５は、目皿６０の軸心方向に移動可能に構成される。
【００２９】
繰出装置５０の下方部材５５は、図４乃至図７に示すように、繰出口５５ａと、中央孔５５ｂと、凹部５５ｃと、を有する。
繰出装置５０の下方部材５５の繰出口５５ａは、前記目皿６０の目皿孔６１に溜まった種子が目皿孔６１から落下して繰出される部分である。
繰出装置５０の下方部材５５の繰出口５５ａは、下方部材５５における前左方部が、下方部材５５の外周端から中央方向に向かって半径方向の中途部まで凹状に切欠かれるようにして形成される。繰出装置５０の下方部材５５の繰出口５５ａは、下方部材５５の軸心と目皿６０の軸心とを一致させるようにして目皿６０の下方に下方部材５５が配置された状態で、目皿６０が回転したときの目皿孔６１の回転軌跡よりも内側（中央側）まで切欠かれるように形成される。繰出装置５０の下方部材５５の繰出口５５ａは、その開口幅が少なくとも目皿６０の下方の開口の直径よりも大きく形成される。
繰出装置５０の下方部材５５の中央孔５５ｂは、下方部材５５の中央部に上面から下面に貫通するように形成される。
繰出装置５０の下方部材５５の凹部５５ｃは、繰出口５５ａにおける目皿６０の回転方向の上流側（下方部材５５の繰出口５５ａの左方）において、下方部材５５の上面が窪むように形成される。
【００３０】
繰出装置５０の仕切板３０は、ボルト等によってケース５１（上ケース５１ａ）に固定されて、ケース５１内に配置される。
繰出装置５０の仕切板３０は、図３乃至図５、または、図８乃至図１０に示すように、仕切部３１と、支持部３２と、を有する。
繰出装置５０の仕切板３０の仕切部３１は、ホッパ４１から落下する種子が、仕切板３０の仕切部３１よりも後方（下方）の目皿６０上に供給されるように、ケース５１内の空間を前後に仕切るものである。繰出装置５０の仕切板３０の支持部３２は、落下補助手段３４を支持するものである。
【００３１】
繰出装置５０の仕切板３０は、平板状の部材の左側部が、前方に突出させるように折り曲げられるとともに、前端が前右方に突出するように前記前方に突出する部分（平板状の部材の左側）の中途部を折り曲げたような形状に形成される。
繰出装置５０の仕切板３０の仕切部３１は、仕切板３０の右側部および中央部（左側部以外）で構成される。繰出装置５０の仕切板３０の支持部３２は、前記仕切板３０の左側部で構成される。
繰出装置５０の仕切板３０は、スペーサ５３（目皿６０）の上方に配置される。繰出装置５０の仕切板３０は、その仕切部３１が、目皿駆動軸５２の近傍の後方に位置するとともに、最後部に位置したときの目皿６０の目皿孔６１よりも前方に位置するように、配置される。繰出装置５０の仕切板３０は、その支持部３２の前端が目皿駆動軸５２よりも前方に位置するように、配置される。
【００３２】
繰出装置５０のブラシ３３は、目皿６０上において目皿孔６１に入りきらない種子を当該目皿孔６１から除くためのブラシ状の部材である。
繰出装置５０のブラシ３３は、仕切板３０の仕切部３１から下方に突出するように仕切部３１における左側部の後方の面に設けられる。繰出装置５０のブラシ３３は、先端（下端）が目皿６０の上面に接する高さに設定される。
【００３３】
このように構成される繰出装置５０では、目皿６０の目皿孔６１のうち前左方に位置する目皿孔６１（下方部材５５の繰出口５５ａの上方に位置する目皿孔６１）以外の目皿孔６１における下方の開口は、下方部材５５によって閉じられた状態となっている。また、繰出装置５０では、目皿６０の目皿孔６１のうち前左方に位置する目皿孔６１（下方部材５５の繰出口５５ａの上方に位置する目皿孔６１）は、下方部材５５の繰出口５５ａと連通した状態となっている。
繰出装置５０は、後方（仕切板３０の仕切部３１よりも後方）に位置する目皿６０の目皿孔６１内に、ホッパ４１から落下された複数個の種子が目皿６０の目皿孔６１における上方の開口から供給されて溜められていくように構成される。
また、繰出装置５０は、前左方（下方部材５５の繰出口５５ａの上方）に位置する目皿６０の目皿孔６１から前記目皿６０の目皿孔６１に溜まった種子が落下して下方部材５５の繰出口５５ａから繰出されるように構成される。
【００３４】
そして、繰出装置５０は、目皿６０が回転することによって、目皿６０の目皿孔６１の位置が変わるように構成される。
繰出装置５０は、目皿６０が回転して、目皿６０の目皿孔６１が後方に位置したときに前記目皿６０の目皿孔６１内に複数個の種子が溜められるように構成される。繰出装置５０は、目皿６０が回転して、目皿６０の目皿孔６１が左上方（下方部材５５の繰出口５５ａの上方）に位置したときに前記目皿６０の目皿孔６１に溜まった種子を下方部材５５の繰出口５５ａから繰出すように構成される。
繰出装置５０は、目皿６０が回転して、目皿６０の目皿孔６１内に複数個の種子が溜められること、および、目皿６０の目皿孔６１に溜まった種子を下方部材５５の繰出口５５ａから繰出すこと、を繰返すことにより、複数個の種子を所定量毎に繰出して点播するように構成される。
【００３５】
また、繰出装置５０は、下方部材５５が凹部５５ｃを備えることから、目皿６０の目皿孔６１に溜まった複数個の種子を下方部材５５の繰出口５５ａから繰出す前に（下方部材５５の繰出口５５ａにおける目皿６０の回転方向の上流側において）、前記目皿６０の目皿孔６１に溜まった複数個の種子（目皿孔６１に溜まった複数個の種子のうち少なくとも一部のもの）が当該目皿６０の目皿孔６１から落下して下方部材５５の凹部５５ｃに入り込むように構成される（図１１参照）。繰出装置５０は、目皿６０が回転して種子が溜められた目皿６０の目皿孔６１が下方部材５５の凹部５５ｃの上方に位置すると、前記目皿６０の目皿孔６１と下方部材５５が凹部５５ｃとが連通して、前記目皿６０の目皿孔６１に溜まった複数個の種子（目皿孔６１に溜まった複数個の種子のうち少なくとも一部のもの）が下方部材５５の凹部５５ｃに入り込むように構成される。
そして、繰出装置５０は、種子が下方部材５５の凹部５５ｃに入り込んだ状態で目皿６０が更に回転して、前記目皿６０の目皿孔６１と下方部材５５の繰出口５５ａとが連通すると、前記目皿６０の目皿孔６１に溜まった種子および下方部材５５の凹部５５ｃに入り込んだ種子が当該目皿６０の目皿孔６１から落下して下方部材５５の繰出口５５ａから繰出されるように構成される。
【００３６】
以上のように、下方部材５５は繰出口５５ａにおける目皿６０の回転方向の上流側において下方部材５５の上面が窪むように形成される凹部５５ｃを備え、目皿６０の目皿孔６１に溜められる複数個の種子（粒状物）を下方部材５５の繰出口５５ａから繰出す前に、目皿６０の目皿孔６１に溜められる複数個の種子（粒状物）のうち少なくとも一部のものを下方部材５５の凹部５５ｃに入り込ませるように構成される、繰出装置５０では、目皿６０の目皿孔６１内に詰まった状態の複数個の種子（粒状物）のうち少なくとも一部のものを、下方部材５５の繰出口５５ａから繰出す前に、下方部材５５の凹部５５ｃに入り込ませる。
このため、繰出装置５０では、下方部材５５の繰出口５５ａから複数個の種子を繰出す前に、複数個の種子（粒状物）のうち少なくとも一部のものの目皿６０の目皿孔６１内に詰まった状態を解消することができる。
したがって、繰出装置５０によれば、複数個の種子（粒状物）をよりまとまった状態で下方部材５５の繰出口５５ａから繰出すことができる。
よって、繰出装置５０によれば、点播性能を向上させることができる。
【００３７】
繰出装置５０の下方部材５５は、繰出口５５ａと凹部５５ｃとが連続するように構成される。繰出装置５０の下方部材５５は、繰出口５５ａと凹部５５ｃとが連通するように構成される。
このように、下方部材５５が繰出口５５ａと凹部５５ｃとが連続するように構成される繰出装置５０では、複数個の種子（粒状物）のうち少なくとも一部のものが下方部材５５の凹部５５ｃに入り込んだ状態から、直接、下方部材５５の繰出口５５ａから繰出されることとなる。
したがって、繰出装置５０によれば、より確実に、種子（粒状物）をよりまとまった状態で下方部材５５の繰出口５５ａから繰出すことができる。
【００３８】
繰出装置５０の下方部材５５の凹部５５ｃは、凹部５５ｃの深さ方向の長さが種子の幅よりも短く構成される。繰出装置５０の下方部材５５の凹部５５ｃは、その深さ方向の長さが種子の幅の略１／３程度の長さに構成される。
このように、下方部材５５の凹部５５ｃが凹部５５ｃの深さ方向の長さが種子の幅よりも短く構成される、繰出装置５０では、下方部材５５の凹部５５ｃに入り込んだ種子（粒状物）の一部のものが目皿６０の目皿６１に当接することとなり、目皿６０が回転したときに連れられて下方部材５５の繰出口５５ａ側（下流側）に移動することとなる。
したがって、繰出装置５０では、下方部材５５の凹部５５ｃに入り込んだ種子（粒状物）が下方部材５５の凹部５５ｃに溜まることを防止して、下方部材５５の凹部５５ｃに入り込んだ種子（粒状物）を確実に下方部材５５の繰出口５５ａから繰出すことができる。
【００３９】
繰出装置５０の下方部材５５の上面と凹部５５ｃとの境界部分（境界面）は、目皿６０の回転方向に対して前下後上に傾斜する傾斜面で構成される。繰出装置５０の下方部材５５の上面と凹部５５ｃとの境界部分は、略４５度傾斜するように構成される。
このように、下方部材５５の上面と凹部５５ｃとの境界部分が目皿６０の回転方向に対して前下後上に傾斜する傾斜面で構成される、繰出装置５０では、目皿６０の目皿孔６１に溜まった複数個の種子がスムーズに落下して下方部材５５の凹部５５ｃに入り込むことができる。
【００４０】
なお、繰出装置５０は、上ケース５１ａ内における下方部材５５の上方の空間が、その後側の空間から前側の空間に種子が入り込まないように隔壁等で閉じられるとともに、前記後側の空間が、その上方においてホッパ４１と連通するように構成される。
繰出装置５０では、スペーサ５３、目皿６０、下方部材５５、または、シム５７、における仕切板３０よりも後方側は、それぞれの種子（粒状物）が供給される側、として構成される。また、繰出装置５０では、スペーサ５３、目皿６０、下方部材５５、または、シム５７、における仕切板３０よりも前方側は、それぞれの種子（粒状物）が繰出される側、として構成される。
【００４１】
また、繰出装置５０の落下補助手段部材３４は、目皿６０の目皿孔６１が下方部材５５の凹部５５ｃの上方に位置したときに目皿６０の目皿孔６１に溜められた種子に作用して、目皿６０の目皿孔６１に溜められた複数個の種子が目皿孔６１から落下して下方部材５５の凹部５５ｃに入り込む動作を補助(促進)するように構成される。
例えば、繰出装置５０の落下補助手段３４は、その先端（下端）が目皿６０の目皿孔６１に溜められた種子に上方から接触することによって、目皿６０の目皿孔６１に溜められた複数個の種子に作用するように構成される。繰出装置５０の落下補助手段部材３４は、その下端部が種子と接触したときに当該種子が傷付かないような素材のブラシ状の部材で構成される。
繰出装置５０の落下補助手段３４は、仕切板３０の支持部３２に支持されて、仕切板３０に設けられる。繰出装置５０の落下補助手段３４は、仕切板３０の仕切部３１よりも前方に配置される。繰出装置５０の落下補助手段３４は、下方部材５５の凹部５５ｃの上方に配置される。繰出装置５０の落下補助手段３４は、目皿６０の目皿孔６１の回転軌跡上に配置される。
【００４２】
このように、目皿６０の目皿孔６１が下方部材５５の凹部５５ｃの上方に位置したときに目皿６０の目皿孔６１に溜められた種子に作用して目皿６０の目皿孔６１に溜められた複数個の種子が目皿孔６１から落下して下方部材５５の凹部５５ｃに入り込む動作を補助(促進)するように構成される落下補助手段部材３４を備える、繰出装置５０では、目皿６０の目皿孔６１内に詰まった状態の複数個の種子（粒状物）のうち少なくとも一部のものを、より確実に、下方部材５５の凹部５５ｃに入り込ませることができる。
このため、繰出装置５０では、下方部材５５の繰出口５５ａから繰出される前に、複数個の種子（粒状物）のうち少なくとも一部のものの目皿６０の目皿孔６１内に詰まった状態を、より確実に解消することができる。
【００４３】
繰出装置５０の遮蔽部材３５は、ホッパ４１から落下して目皿６０上面に至るまでの種子の供給経路上に配置される。繰出装置５０の遮蔽部材３５は、種子が供給される側の目皿６０の上方に配置される。
繰出装置５０の遮蔽部材３５は、種子（粒状物）の供給経路の上流側（目皿駆動軸５２の軸心方向上方）から見て、目皿６０の上面の一部（目皿６０の種子が供給される側の上面の一部）が隠れるように構成される（図１０参照）。
【００４４】
繰出装置５０の遮蔽部材３５は、平板状の部材を側面視Ｌ字状に折り曲げたような形状に形成される。
繰出装置５０の遮蔽部材３５は、仕切板３０の仕切部３１から後方に突出するように、仕切部３１における右側部の後方の面に設けられる。繰出装置５０の遮蔽部材３５は、仕切板３０の仕切部３１よりも後方に配置される。
【００４５】
このように、繰出装置５０の遮蔽部材３５は、ホッパ４１から落下して目皿６０上面に至るまでの種子（粒状物）の供給経路上に配置され、種子（粒状物）の供給経路の上流側から見て、目皿６０の上面の一部（目皿６０の種子が供給される側の上面の一部）が隠れるように構成される。
そして、繰出装置５０では、ホッパ４１から落下した複数個の種子のうち一部のものは、遮蔽部材３５（または遮蔽部材３５上に溜まった種子）の上面（種子の供給経路の上流側の面）に当接した後、または、遮蔽部材３５の上面側に溜まった後、目皿６０の上面側に落下することとなる。
このため、繰出装置５０では、前記遮蔽部材３５の上面に当接した後または遮蔽部材３５の上面側に溜まった後に目皿６０の上面側に落下する種子は、落下の勢いが弱められて目皿６０側に落下することとなる。
したがって、繰出装置５０によれば、ホッパ４１から種子が落下したときの目皿６０上の種子（粒状物）または目皿孔６１内の種子（粒状物）にかかる圧力を弱めて、種子が落下することによって目皿６０の上面および目皿６０の目皿孔６１内で種子（粒状物）が圧密されて目皿孔６１に引っ掛る（詰まる）ことを抑制することができる。
よって、繰出装置５０によれば、目皿６０の目皿孔６１と下方部材５５の繰出口５５ａとが連通したときに、目皿６０の目皿孔６１に溜められた種子（粒状物）を確実に目皿６０の目皿孔６１から落下させることができる。
【００４６】
繰出装置５０の目皿６０は、図３乃至図５に示すように、上目皿７０と、下目皿８０と、を備えて構成される。
【００４７】
繰出装置５０の上目皿７０は、略円盤状の部材であり、上目皿７０の軸心と下目皿８０の軸心と一致させるようにして下目皿８０の上方に配置される。繰出装置５０の上目皿７０は、上目皿７０の上面の周縁部がスペーサ５３の下面に当接するようにスペーサ５３の下方に配置される。
繰出装置５０の上目皿７０は、凸部７１と、中央孔７２と、突出部７３と、上目皿孔７４と、下ガイド７５と、上突出部７６と、を有する。
【００４８】
繰出装置５０の上目皿７０の凸部７１は、上目皿７０の上面の中央部から円筒状に上方に突出するように形成される。
繰出装置５０における上目皿７０の中央孔７２は、凸部７１の中央部（上目皿７０の中央部）に、凸部７１の上面から上目皿７０の下面に貫通するように形成される。繰出装置５０における上目皿７０の中央孔７２は、目皿駆動軸５２の下部を嵌挿可能に構成される。そして、繰出装置５０における上目皿７０は、上目皿７０の中央孔７２に目皿駆動軸５２の下部が嵌挿されて目皿駆動軸５２に固定されて、目皿駆動軸５２が回転すると目皿駆動軸５２と一体となって上目皿７０の周方向に回転するように構成される。
【００４９】
繰出装置５０の上目皿７０の突出部７３は、上目皿７０の半径方向中途部において、上目皿７０の下面から下方（上目皿７０の軸心方向）に突出するように形成される。繰出装置５０における上目皿７０の突出部７３は、円筒状に形成される。
繰出装置５０における上目皿７０の突出部７３は、下目皿８０の下目皿孔８４の上方から下目皿８０の下目皿孔８４に挿入可能に形成される。繰出装置５０の上目皿７０の突出部７３は、突出部７３の外径が下目皿８０の下目皿孔８４の内径と略同一に形成されて、上目皿７０の突出部７３の外面と下目皿８０の下目皿孔８４の内面との間に隙間が無い状態で摺動可能に形成される。繰出装置５０の上目皿７０の突出部７３は、突出部７３の先端部（下端部）における壁部の厚みが種子（粒状物）の半径よりも小さく形成されて構成される。繰出装置５０の上目皿７０の突出部７３は、先端部の断面形状が尖状に形成されて構成される。
繰出装置５０における上目皿７０の突出部７３は、複数個配置される。繰出装置５０では、八個の突出部７３・７３・・が上目皿７０の軸心を中心にして周方向に均等に配置される。
【００５０】
繰出装置５０の上目皿７０の上目皿孔７４は、突出部７３を通って上目皿７０を貫通するように形成される。繰出装置５０における上目皿７０の上目皿孔７４は、突出部７３の軸心方向（突出部７３の突出する方向）に沿って、上目皿７０の上面から突出部７３における突出方向の先端（突出部７３の下面）に貫通するように形成される。繰出装置５０における上目皿７０の上目皿孔７４は、円柱状に形成される。繰出装置５０における上目皿７０の上目皿孔７４は、上目皿７０の軸心とスペーサ５３との軸心とを一致させるようにしてスペーサ５３の下方に上目皿７０が配置された状態で、上目皿孔７４の上方の開口がスペーサ５３の内周面よりも内側（中央側）に位置するように形成される。
繰出装置５０における上目皿７０の上目皿孔７４は、突出部７３の突出する方向に末広がり（テーパ状）に形成される。繰出装置５０の上目皿７０の上目皿孔７４は、そのテーパ角が極めて小さくなるように（例えば、テーパ角が１０度以下になるように）形成される。
繰出装置５０における上目皿７０の上目皿孔７４は、複数個配置される。繰出装置５０では、八個の上目皿孔７４・７４・・が上目皿７０の軸心を中心にして周方向に均等に配置される。
【００５１】
繰出装置５０の上目皿７０の下ガイド７５は、上目皿７０の下面の周縁部全周から下方に突出するように環状に形成される。
【００５２】
繰出装置５０の上目皿７０の上突出部７６は、上目皿７０の上面から上方（スペーサ５３の方向に）に突出するように形成される。繰出装置５０における上目皿７０の上突出部７６は、その上端位置が上目皿孔７４の上方の開口よりも高くなるように、形成される。繰出装置５０における上目皿７０の上突出部７６は、上目皿７０の上面の周縁部全周に配置されて、環状に形成される。
繰出装置５０における上目皿７０の上突出部７６は、上目皿７０の軸心とシム５７の軸心とを一致させるようにしてシム５７の下方に上目皿７０が配置された状態で、スペーサ５３の下方に位置するように形成される。繰出装置５０における上目皿７０の上突出部７６は、上目皿７０の半径方向において上目皿孔７４の上方の開口よりも外側（上目皿７０の軸心側と反対側）に配置される。繰出装置５０における上目皿７０の上突出部７６は、上目皿７０の半径方向において上目皿７０の半径方向外側端のやや内側（上目皿７０の軸心側）に配置される。
【００５３】
繰出装置５０の下目皿８０は、その外径が上目皿７０の下ガイド７５の内径よりも小さく形成される略円盤状の部材である。繰出装置５０の下目皿８０は、その厚さ方向の長さ（軸心方向の長さ）が上目皿７０の突出部７３における軸心方向の長さと略同一に構成される。
【００５４】
繰出装置５０の下目皿８０は、スペーサ５３および上目皿７０の軸心と下目皿８０の軸心とを一致させるようにしてスペーサ５３および上目皿７０の下方に配置される。
繰出装置５０の下目皿８０は、下目皿８０の下面が下方部材５５の上面に当接するようにして下方部材５５の上方に配置される。繰出装置５０の下目皿８０および下方部材５５は、ケース５１内において下目皿８０および下方部材５５が一体となって上目皿７０と平行に保たれた状態で上目皿７０および下目皿８０の軸心方向に移動可能に構成される。
繰出装置５０の下目皿８０は、凸部８１と、中央孔８２と、溝部８３と、下目皿孔８４と、を有する。
【００５５】
繰出装置５０の下目皿８０の凸部８１は、下目皿８０の下面の中央部から下方に突出するように形成される。
繰出装置５０における下目皿８０の中央孔８２は、凸部８１の中央部（下目皿８０の中央部）に、凸部８１の上面から下目皿８０の下面に貫通するように形成される。繰出装置５０における下目皿８０の中央孔８２は、その内径が目皿駆動軸５２の下部の外径よりも大きく形成されて、目皿駆動軸５２の下部を挿入可能に構成される。そして、繰出装置５０における下目皿８０は、下目皿８０の中央孔８２に目皿駆動軸５２の下部が挿入された状態で、下目皿８０の軸心方向に移動可能に構成される。
【００５６】
繰出装置５０の下目皿８０は、前記下目皿８０の各下目皿孔８４に上目皿７０の各突出部７３が挿入された状態で、目皿駆動軸５２が回転すると、目皿駆動軸５２および上目皿７０と一体となって下目皿８０の周方向に回転するように構成される。
繰出装置５０における下目皿８０は、前記下目皿８０の各下目皿孔８４に上目皿７０の各突出部７３（突出部７３の少なくとも一部が）が挿入された状態で、下目皿８０の下目皿孔８４内を上目皿７０の突出部７３が上下方向（上目皿７０および下目皿８０の軸心方向）に摺動（移動）可能に構成される。
【００５７】
繰出装置５０では、下方部材５５および下目皿８０を位置変更機構９０によって移動させて、上目皿７０の突出部７３における下目皿８０の下目皿孔８４への挿入位置を変更させることにより、目皿６０の目皿孔６１が目皿孔６１の容積を増減可能に構成される。
繰出装置５０では、下目皿８０を下方（上目皿７０側と反対側）に移動させて上目皿７０の突出部７３における下目皿８０の下目皿孔８４への挿入位置を変更すると、下目皿８０の下目皿孔８４における上目皿７０の突出部７３が挿入されていない部分の容積が大きくなって（目皿６０の目皿孔６１における軸心方向の長さが長くなって）、目皿６０の目皿孔６１の容積が増加する（図１２参照）。
また、繰出装置５０では、下目皿８０を上方（上目皿７０側）に移動させて上目皿７０の突出部７３における下目皿８０の下目皿孔８４への挿入位置を変更すると、下目皿８０の下目皿孔８４における上目皿７０の突出部７３が挿入されていない部分の容積が小さくなって（目皿６０の目皿孔６１における軸心方向の長さが短くなって）、目皿６０の目皿孔６１の容積が減少する（図３参照）。
繰出装置５０の位置変更機構９０は、下目皿８０の軸心方向に下方部材５５および下目皿８０を移動させて、ケース５１内における下方部材５５および下目皿８０の位置を変更させる（下方部材５５および下目皿８０を移動させる）ように構成される。繰出装置５０の位置変更機構９０は、下方部材５５および下目皿８０の位置を変更させる（下方部材５５および下目皿８０を移動させる）ことにより、上目皿７０の突出部７３における下目皿８０の下目皿孔８４への挿入位置を変更させて、目皿６０の目皿孔６１の容積を増減させるように構成される。
繰出装置５０の位置変更機構９０は、弾性部材５６と、移動部９１と、操作部９２と、を備え、操作部９２を操作して移動部９１を移動させることによって下方部材５５を下方から押圧可能に構成される。
【００５８】
繰出装置５０における位置変更機構９０の弾性部材５６は、コイル状のバネで構成される。
繰出装置５０における位置変更機構９０の弾性部材５６は、その上端部を上目皿７０の下面に当接させ、その下端部を下目皿８０の溝部８３内に収納してその下端部を溝部８３の底面に当接させるようにして、上目皿７０と下目皿８０との間に配置される（図３参照）。
繰出装置５０における位置変更機構９０の弾性部材５６は、このように配置された状態で、下目皿８０および下方部材５５を下方に付勢する。
【００５９】
繰出装置５０における位置変更機構９０の移動部９１は、下方部材５５の下面に当接して下方部材５５を押圧しながら下目皿８０の軸心方向に移動可能に構成される。
繰出装置５０における位置変更機構９０の移動部９１は、下方部材５５の下方に配置され、左右一対の押圧板９３と、カム当接部材９４と、前後一対の支持部材９５と、を有して構成される。
【００６０】
繰出装置５０における位置変更機構９０の移動部９１の押圧板９３は、平板状の部材であり、上部が二又状の側面視略Ｖ字状に形成される。繰出装置５０における位置変更機構９０の移動部９１の押圧板９３は、下部の左右中央にカム当接部材９４が嵌挿される嵌挿孔を有する。
繰出装置５０における位置変更機構９０の移動部９１のカム当接部材９４は、棒状の部材であり、カム当接部材９４の両端部が押圧板９３のそれぞれの嵌挿孔にそれぞれ嵌挿されて、押圧板９３の下部間を左右水平に掛け渡されるように配置される。このようにして、繰出装置５０における位置変更機構９０の移動部９１は、カム当接部材９４の両端部が押圧板９３から外側に突出するように構成される。
繰出装置５０における位置変更機構９０の移動部９１の支持部材９５は、棒状の部材であり、押圧板９３を支持するように押圧板９３の間に掛け渡されて、カム当接部材９４の前後にそれぞれ配置される。
【００６１】
繰出装置５０における位置変更機構９０の移動部９１は、一対の押圧板９３における上部のＶ字状の二つの先端部がそれぞれ下方部材５５の下面に当接するように配置される。つまり、繰出装置５０における位置変更機構９０の移動部９１は、一対の押圧板９３のそれぞれの先端部で、上部下方部材５５の下面の四箇所（複数箇所）に当接するように、構成される。
このとき、繰出装置５０における位置変更機構９０の移動部９１は、下目皿８０の軸心から等距離で下方部材５５の下面に当接するように構成される。
【００６２】
繰出装置５０における位置変更機構９０の操作部９２は、移動部９１の下方に配置されて、操作部９２を操作することによって移動部９１を移動させるように構成される。
繰出装置５０における位置変更機構９０の操作部９２は、軸部材９６と、一対のカム部材９７と、操作レバー９８と、を有して構成される。
【００６３】
繰出装置５０における位置変更機構９０の操作部９２の軸部材９６は、棒状の部材であり、回動自在にその両側がケース５１に水平（左右方向）に支持されて構成される。繰出装置５０における位置変更機構９０の操作部９２の軸部材９６は、その軸心方向と下目皿８０の軸心方向とが直交するようにケース５１に支持される。
繰出装置５０における位置変更機構９０の操作部９２のカム部材９７は、平板状の部材であって、側部（外周部）にカム面を有し、略楕円形に形成されて構成される。繰出装置５０における位置変更機構９０の操作部９２のカム部材９７は、ケース５１内において下目皿８０の軸心から左右に等距離で軸部材９６に固定される。繰出装置５０における位置変更機構９０の操作部９２のカム部材９７は、そのカム面が移動部９１のカム当接部材９４に当接するように配置される。
繰出装置５０における位置変更機構９０の操作部９２の操作レバー９８は、ケース５１外で軸部材９６に固定される。
【００６４】
そして、繰出装置５０の位置変更機構９０は、操作部９２の操作レバー９８を回動させて軸部材９６およびカム部材９７を回動させることにより、カム部材９７の移動部９１のカム当接部材９４に対する当接位置が変更されて、下目皿８０の軸心方向上方または下目皿８０の軸心方向下方に移動部９１を移動させるように構成される。なお、繰出装置５０における位置変更機構９０の操作レバー９８が任意の回動位置で保持できるように、図示しない保持手段がケース５１外部に設けられる。
繰出装置５０の位置変更機構９０は、移動部９１を上方（下目皿８０の軸心方向上方）に移動させて下方部材５５を下方から押圧（下方部材５５の下面を押圧）させることによって、弾性部材５６の付勢力に反して下方部材５５および下目皿８０を上方に移動させるように構成される。
繰出装置５０の位置変更機構９０は、移動部９１を下方（下目皿８０の軸心方向下方）に移動させて下方部材５５への押圧を解除することによって、下方部材５５および下目皿８０を下方に移動させるように構成される。このとき、繰出装置５０の下方部材５５および下目皿８０は、弾性部材５６に付勢力に従って下方に移動する。
このようにして、繰出装置５０の位置変更機構９０は、移動部９１を移動させることによって下方部材５５および下目皿８０を移動させて、目皿６０の目皿孔６１の容積を増減させるように構成される。
【００６５】
繰出装置５０は、案内溝５８を備える。
繰出装置５０の案内溝５８は、位置変更機構９０の移動部９１における下目皿８０の軸心方向への移動を案内するものであり、ケース５１（下ケース５１ｂ）の内面に形成される。
繰出装置５０の案内溝５８は、ケース５１（下ケース５１ｂ）の左右の内面にそれぞれ形成される。繰出装置５０の案内溝５８は、下目皿８０の軸心方向と平行に形成される。繰出装置５０の案内溝５８は、側面視で下目皿８０の軸心方向と一致するように形成される。
繰出装置５０の案内溝５８は、その溝幅が位置変更機構９０の移動部９１のカム当接部材９４の両端部の直径と略同一に形成される。
繰出装置５０における左右のそれぞれの案内溝５８には、位置変更機構９０の移動部９１におけるカム当接部材９４の両端部がそれぞれ配置される。
このように配置される位置変更機構９０の移動部９１は、その両端部が左右それぞれの案内溝５８を摺動しながら下目皿８０の軸心方向に移動可能に構成される。
【符号の説明】
【００６６】
１    走行機体
１９  湛水直播機
４０  播種装置
５０  繰出装置
５５  繰出板
５５ａ  繰出口
５５ｃ  凹部
５７  シム
６０  目皿
６１  目皿孔
７０  上目皿
７４  上目皿孔
８０  下目皿
８４  下目皿孔
９０  位置変更機構
９１  移動部
９２  操作部
【図１】
2014135922.tif 000003
【図２】
2014135922.tif 000004
【図３】
2014135922.tif 000005
【図４】
2014135922.tif 000006
【図５】
2014135922.tif 000007
【図６】
2014135922.tif 000008
【図７】
2014135922.tif 000009
【図８】
2014135922.tif 000010
【図９】
2014135922.tif 000011
【図１０】
2014135922.tif 000012
【図１１】
2014135922.tif 000013
【図１２】
2014135922.tif 000014